(57)【要約】【課題】太さや電線の本数が異なるケーブル及びコネクタを保持することができるケーブル保持構造及びケーブル保持方法を提供する。【解決手段】筐体３内面に立設された複数個のリブ５１（５２）を有し、ケーブル４１、４３を保持し、リブ５１（５２）は、筐体３内面に形成された閉じた図形上に、隣り合うリブ５１（５２）と所定幅の間隙（５０）をあけて配列されているケーブル保持構造５。【選択図】図３
2011029330.tif 000002
【特許請求の範囲】
【請求項１】
電子機器の筐体内面に立設された複数個のリブを有し、
前記筐体内部に配線されたケーブルを保持するケーブル保持構造であって、
前記複数個のリブは、筐体内面に形成された閉じた図形上に、隣り合うリブとの間隙が所定の幅となるように配列されていることを特徴とするケーブル保持構造。
【請求項２】
前記閉じた図形は少なくとも１箇所の直線部分を備えており、前記複数個のリブのうち少なくとも前記直線部分に配置されるリブは、前記閉じた図形の外側の壁面と交差し、前記筐体の内面より突出した補強リブを備えている請求項１に記載のケーブル保持構造。
【請求項３】
前記閉じた図形が四角形であり、前記複数個のリブは少なくとも、４個の角に配置された角リブを含んでいる請求項１又は請求項２に記載のケーブル保持構造。
【請求項４】
前記複数個のリブは、前記角リブ同士の間に配置された中間リブを少なくとも１個含んでいる請求項３に記載のケーブル保持構造。
【請求項５】
前記四角形は長方形であり、前記長方形の少なくとも長辺の両方に配置され、対向して形成された一対の中間リブを備えている請求項４に記載のケーブル保持構造。
【請求項６】
前記４個の角リブがすべて同じ形状を有している請求項３から請求項５のいずれか胃に記載のケーブル保持構造。
【請求項７】
前記閉じた図形が円形状であり、前記複数個のリブは同一形状を有し、同一円周上に円周方向に等間隔をあけて配列されている請求項１に記載のケーブル保持構造。
【請求項８】
前記隣り合うリブ同士の間隙は、少なくとも２種類の幅を有している請求項１から請求項７のいずれかに記載のケーブル保持構造。
【請求項９】
請求項１から請求項８のいずれかに記載のケーブル保持構造をフロントキャビネットに備えたことを特徴とする液晶テレビジョン受像機。
【請求項１０】
請求項１から請求項８のいずれかに記載のケーブル保持構造を用いてケーブルを保持するケーブルの保持方法であって、
前記複数のリブの間に形成されている間隙に前記ケーブルを挟んで保持することを特徴とするケーブル保持方法。
【請求項１１】
前記ケーブルをジグザグ状に前記リブに沿わせて保持させる請求項１０に記載のケーブル保持方法。
【請求項１２】
前記ケーブルを前記閉じた図形の外側で折り返すように前記間隙に挟む請求項１０に記載のケーブル保持方法。
【請求項１３】
少なくとも２本のケーブルを同時に保持する請求項１０又は請求項１１に記載のケーブル保持方法。
【請求項１４】
請求項１から請求項８のいずれかに記載のケーブル保持構造を用いてケーブルを保持するケーブルの保持方法であって、
前記ケーブルを折り曲げて折り曲げ部を形成し、
前記折り曲げ部を前記複数のリブで囲まれた空間に収容して保持させることを特徴とするケーブル保持方法。
【請求項１５】
請求項１から請求項８のいずれかに記載のケーブル保持構造を用いてケーブルを保持するケーブルの保持方法であって、
前記ケーブルの先端に備えられているコネクタを前記複数のリブで囲まれた空間に収容することで、前記ケーブルを保持させることを特徴とするケーブル保持方法。
【請求項１６】
前記コネクタは少なくとも一部が前記複数のリブで囲まれた空間の外部に配置される請求項１５に記載のケーブル保持方法。
【発明の詳細な説明】
【技術分野】
【０００１】
本発明は、液晶テレビジョン受像機等の内部に配置された基板及び電子部品に接続されたケーブルを安全に保持するためのケーブル保持構造及びケーブル保持方法に関するものである。
【背景技術】
【０００２】
従来、電子機器の一例であるテレビジョン受像機の内部には、複数の基板、スピーカ、センサ及びＬＥＤ等の部品が配置されている。複数の基板同士や基板とスピーカ、センサ及びＬＥＤ等の部品とは、離れた位置に取り付けられ、ケーブルで接続されている場合が多い。
【０００３】
前記ケーブルには、振動、衝撃等の大きな力が作用することで引張られ、破損、断線してしまう場合がある。また、前記ケーブルが接続されている前記基板、前記部品等が強い力で前記ケーブルに引張られ、破損してしまう場合もある。
【０００４】
そこで、前記ケーブルは弛んだ状態（ケーブルの長さに余裕を持たせた状態）でテレビジョン受像機内に配置されている。前記ケーブルが弛んだ状態で配置されているので、前記ケーブルが引張られたとき、前記ケーブルが弛んだ状態から張った状態となることで力を分散し、ケーブル自体及び（又は）ケーブルが接続されている前記基板及び（又は）前記部品に作用する力を低減している。
【０００５】
前記テレビジョン受像機の内部には金属板（いわゆる板金）をプレス加工にて切り曲げて形成した部材が複数備えられていることが多く、前記金属板の切断面は尖った断面（シャープエッジ）となっている場合がある。前記ケーブルは長さに余裕があるので、前記テレビジョン受像機を搬送したり、移動させたりするときに、前記ケーブルが前記テレビジョン受像機の内部で移動する場合が多い。前記ケーブルは、シャープエッジにこすり付けられるように移動する場合もある。
【０００６】
前記ケーブルが前記シャープエッジにこすり付けられると、前記ケーブルが破損し、ショート、漏電等の電気的な不具合が発生したり、前記ケーブルが切断されたりする場合がある。また、前記テレビジョン受像機の内部には、高温に達する電子部品が搭載されている場合もあり、その高温の電子部品に前記ケーブルが接触すると、前記ケーブルの外部を被覆している絶縁被覆がはがれ、ショート、漏電の原因になる場合もある。前記ケーブルがショート、漏電及び断線すると、前記テレビジョン受像機の動作に支障が出る。
【０００７】
そこで、特開２００５−１３００９７号公報や、実用新案登録第３１０７００３号公報に記載されているように、テレビジョン受像機のキャビネット内部にはケーブルを係止しておくための係止部を備えている。前記キャビネット内部に備えられている係止部に前記ケーブルを係合させ、前記ケーブルの移動を抑制することで、前記ケーブルが移動することによる、断線、漏電、ショート等の不具合が発生するのを抑制している。
【０００８】
また、前記テレビジョン受像機は、前後キャビネットをそれぞれ別々に製造され、製造場所とは別の場所（最終組立工場）に運搬される。そして、別途運搬されてきた画像表示装置（ＬＣＤ、ＰＤＰ等）とともに、組み立てられテレビジョン受像機が完成する。前記前後キャビネットにはそれぞれ、異なる基板、部品等が取り付けられている。
【０００９】
前記前後キャビネットを搬送するとき、前記基板及び（又は）前記部品に取り付けられたケーブルは先端部分は自由に移動することが可能となっている。前記前キャビネット及び（又は）前記後キャビネットを運搬するときに、前記ケーブル及び（又は）前記ケーブルの先端に取り付けられたコネクタが暴れ、前記前後キャビネットの外面の化粧面に傷をつけてしまったり、基板、部品等を破損してしまったりする場合がある。
【００１０】
そこで、半組状態の前後キャビネットの運搬を行うときは、特開２００５−１３００９７号公報や、実用新案登録第３１０７００３号公報に記載されているような、係止部を設けておき、前記ケーブルを前記係止部に係止した状態で運搬する方法や、粘着テープを用いて、前記ケーブル及び（又は）前記コネクタを前記前後キャビネットに固定して運搬する方法がとられている。
【先行技術文献】
【特許文献】
【００１１】
【特許文献１】特開２００５−１３００９７号公報
【特許文献２】実用新案登録第３１０７００３号公報
【発明の概要】
【発明が解決しようとする課題】
【００１２】
しかしながら、前記テレビジョン受像機では、共通のキャビネットを用いていても、取り付けられる基板や電子部品が異なる場合があり、前記基板や前記電子部品にあわせて前記ケーブルの電線の本数や太さが異なる場合がある。異なる種類（太さ、本数）のケーブルが用いられると、特開２００５−１３００９７号公報や、実用新案登録第３１０７００３号公報に記載されている係止部では係止できないケーブルが存在する場合があり、搬送時、組立て時両方或いはいずれかの場合で、ケーブルの保持ができなくなる場合がある。
【００１３】
また、特開２００５−１３００９７号公報や、実用新案登録第３１０７００３号公報に記載されている係止部は、テレビジョン受像機内部であまったケーブルを押えておくためのものである。前記係止部が形成されているキャビネットに取り付けられた基板及び（又は）部品に接続されたケーブルとは、異なるケーブルが係止される場合もある。このとき、キャビネットに取り付けられた基板や部品に取り付けられているケーブルと係止部で係止されるケーブルとが異なる種類であると、係止部ではキャビネットに取り付けられた基板や部品に取り付けられているケーブルを係止することができず、係止部での係止をあきらめるか、別途、搬送時に用いる係止部を備えなくてはならず、手間と時間がかかる。
【００１４】
粘着テープで貼り付けるものの場合、前記粘着テープの貼り付け方法によって、調整することが可能であり、ケーブルやコネクタ自体が破損したり、ケーブルやコネクタが接触することで他の部品が破損したりするのを抑制することが可能である。しかしながら、粘着テープで貼り付けると、粘着部が部材に残ってしまうことがあり、汚れ等の原因になる。
【００１５】
上記の課題をかんがみて本発明は、太さや電線の本数が異なるケーブル及びコネクタを保持することができるケーブル保持構造及びケーブル保持方法を提供することを目的とする。
【課題を解決するための手段】
【００１６】
上記目的を達成するために本発明は、電子機器の筐体内面に立設された複数個のリブを有し、前記筐体内部に配線されたケーブルを保持するケーブル保持構造であって、前記複数個のリブは、筐体内面に形成された閉じた図形上に、隣り合うリブと所定幅の間隙をあけて配列されている。
【００１７】
この構成によると、前記複数個のリブが所定の間隙をあけて閉じた図形上に配置されるので、ケーブルの延伸方向の異なる複数のケーブルを、ケーブルにストレスをかけることなく保持することが可能である。また、閉じた図形上に前記複数個のリブが配置されるので、前記複数個のリブで囲まれた空間が形成され、その空間にケーブルを押し込んで保持させることも可能であり、ケーブルの保持、取り外しを容易に行うことができる。
【００１８】
このことよりケーブル及びケーブルの先端に取り付けられたコネクタが移動（暴れて）ケーブル及び（又は）コネクタ自体が破損したり、筐体の化粧面が傷ついたり、基板、部品等を破損してしまったりする不具合を抑制することができる。
【００１９】
さらに、延伸方向にかかわらずケーブルを保持することができるので、筐体の移動時に保持するケーブルと、電子機器の最終組立て時に保持するケーブルとが異なる場合でも、１つのケーブル保持構造を共有することができる。また、複数個のリブを備え隣り合うリブ同士の間隙も複数個備えられていることより、同時に複数種類のケーブルを共通のケーブル保持構造で保持することも可能である。前記ケーブル保持構造を用いることで、無駄を少なくすることができ、製造にかかる時間、手間及びコストを低減することができる。
【００２０】
上記構成において、前記閉じた図形は少なくとも１箇所の直線部分を備えており、前記複数個のリブのうち少なくとも前記直線部分に配置されるリブは、前記閉じた図形の外側の壁面と交差し、前記筐体の内面より突出した補強リブを備えていてもよい。
【００２１】
直線状のリブは、その構造上倒れやすく、前記保持されるケーブルの引張力で折れてしまったり、曲がってしまったりしやすい。そこで、補強リブを形成することで、折れや曲がりを抑制することができ、前記ケーブル保持部にケーブルを強固に巻きまわしても安定して保持することが可能である。
【００２２】
上記構成において、前記閉じた図形が四角形であり、前記複数個のリブは少なくとも、４個の角に配置された角リブを含んでいてもよい。また、前記角リブ同士の間に配置された中間リブを少なくとも１個含んでいる構成であってもよい。さらに、前記四角形は長方形であり、前記長方形の少なくとも長辺の両方に配置され、対向して形成された一対の中間リブを備えていてもよい。さらに、前記４個の角リブがすべて同じ形状であってもよい。
【００２３】
前記リブとして角リブを備えており、角リブの断面形状はＬ字状である。Ｌ字状のリブを備えていることで、曲げや折れに強く形成することが可能であり、強固なケーブル保持部とすることが可能である。また、中間リブを含んでいることで、リブ１つの大きさを小さくすることができ、リブの曲げ、折れに対する強度を高めることができる。また、リブの個数が増えることで、隣り合うリブ同士の間隙の個数が増え、ケーブルを取り付けるときの巻きまわし方法を多くすることができるとともに、同時に保持できるケーブルの数を増やすことが可能である。さらに長方形状に形成されていることで、ケーブルの取り付けの法則をつかみやすく、ケーブルの取付作業を行いやすい。
【００２４】
上記構成において、前記閉じた図形が円形状であり、前記複数個のリブは同一形状を有し、同一円周上に円周方向に等間隔をあけて配列されていてもよい。
【００２５】
上記構成において、前記隣り合うリブの間の間隙は、少なくとも２種類の幅を有していてもよい。ケーブルは流す電流或いは信号によって太さが異なる場合がある。この場合、前記ケーブルが前記間隙よりも細いと、ケーブル保持構造は前記ケーブルをしっかり保持することができないし、ケーブルが太いとケーブルが圧迫されて着脱時に傷つく恐れがある。そこで、少なくとも２種類の幅の間隙を有することで、前記ケーブルの太さにあわせた間隙に取り付けることができ、容易に且つ安全にケーブルを保持することができる。
【００２６】
上述したケーブル保持構造をフロントキャビネットの備えた電子機器として、例えば、液晶テレビジョン受像機を挙げることができる。
【００２７】
前記複数のリブの間に形成されている間隙に前記ケーブルを挟んで保持するようにしてもよい。このとき、前記ケーブルをジグザグ状に前記リブに沿わせて保持させてもよく、前記ケーブルを前記閉じた図形の外側で折り返すように前記間隙に挟んでもよい。
【００２８】
前記ケーブルを折り曲げて折り曲げ部を形成し、前記折り曲げ部を前記複数のリブで囲まれた空間に収容して保持させてもよい。
【００２９】
前記ケーブルの先端に備えられているコネクタを前記複数のリブで囲まれた空間に収容することで、前記ケーブルを保持させてもよい。また、前記コネクタは少なくとも一部が前記複数のリブで囲まれた空間の外部に配置されるように保持されていてもよい。
【発明の効果】
【００３０】
本発明によると、太さや電線の本数が異なるケーブル及びコネクタを保持することができるケーブル保持構造及びケーブル保持方法を提供することができる。
【図面の簡単な説明】
【００３１】
【図１】液晶テレビジョン受像機のフロントキャビネットとリヤキャビネットとを分解した状態の斜視図である。
【図２】本発明にかかるケーブル保持構造が形成されたフロントキャビネットの一部を拡大した斜視図である。
【図３】ケーブル保持構造の形状を示す拡大図である。
【図４】図３に示すケーブル保持構造の平面図である。
【図５】図（Ａ）〜（Ｆ）は図３に示すケーブル保持部が異なる方法でケーブル保持している状態を示した図である。
【図６】本発明にかかるケーブル保持構造の他の例を示す図である。
【図７】本発明にかかるケーブル保持構造の他の例を示す図である。
【図８】図（Ａ）〜図（Ｃ）はケーブル保持構造の例の一部を示す概略図である。
【発明を実施するための形態】
【００３２】
以下に本発明の実施形態を図面を参照して説明する。図１は液晶テレビジョン受像機のフロントキャビネットとリヤキャビネットとを分解した状態の斜視図である。
【００３３】
図１に示すように、液晶テレビジョン受像機Ａは、液晶表示ユニット１と、液晶表示ユニット１の背面側をカバーするリヤキャビネット２と、液晶表示ユニット１の正面側をカバーするフロントキャビネット３とを有している。また、図示を省略しているが、リヤキャビネット２には、スタンドが取り付けられている。フロントキャビネット１及びリヤキャビネット２はそれぞれ、樹脂の成型品である。
【００３４】
液晶表示ユニット１は、液晶パネルを含む画像表示装置であり、液晶パネルを囲む直方体形状の金属製のフレーム１０を有している。フレーム１０は正面に画像表示部を備えており、背面に液晶テレビジョン受像機Ａの動作を制御するための配線基板ＰＢが取り付け固定されている。
【００３５】
リヤキャビネット２は、長方形状の背面を有しており、長方形状の外縁より正面側に立設された側壁２０を備えている。また、背面には、配線基板ＰＢに備えられている外部接続端子（不図示）の先端を外部に露出させるための端子孔２１が複数個形成されている。
【００３６】
フロントキャビネット３は正面視横長の長方形状であり、外縁から背面に向かって立設された側壁３０を備えている。フロントキャビネット３の中心部には、長方形状の開口３１が形成されており、液晶表示ユニット１は開口３１から画像表示部が見えるように配置固定される。フロントキャビネット３は下部に余裕があり、背面側の下部中央に基板３２が、また、下部の左右両端部に、２個のスピーカ３３がそれぞれ取り付けられている。基板３２にはスイッチ、表示ＬＥＤ、センサが実装されている。
【００３７】
そして、基板３２には液晶表示ユニット１の背面に取り付けられた配線基板ＰＢと接続し、信号を送受信するためのケーブル４１が取り付けられており、ケーブル４１の先端にはコネクタ４２が備えられている。また、スピーカ３３にも同様に、配線基板ＰＢと接続しスピーカの駆動電力が供給されるケーブル４３が取り付けられており、ケーブル４３の先端にはコネクタ４４が備えられている。
【００３８】
図１に示すように、フロントキャビネット３の背面側には、フロントキャビネット３と一体形成されたケーブル保持部５が備えられている。ケーブル保持部５は、基板３２とスピーカ３３との間に形成されているがそれに限定されるものではなく、フロントキャビネット３の空きスペースで、ケーブルを容易に取り付けることができる位置に形成されていればよい。また、図１に示すテレビジョン受像機Ａにおいて、ケーブル保持部５がケーブル４３を保持しているが、それに限定されるものではなく、ケーブル４１或いは図示を省略しているその他のケーブルを保持してもよい。
【００３９】
液晶表示ユニット１及びフロントキャビネット３の配置について図面を参照して説明する。図２はフロントキャビネットに液晶表示ユニットを取り付けた状態の背面側から見た図である。図２に示すように、液晶表示ユニット１はフロントキャビネット３の上部にずれて配置されている。液晶表示ユニット１はねじ止めでフロントキャビネット３に固定されている。液晶表示ユニット１はフロントキャビネット３に形成されている複数の位置決めリブに側壁を当接させることで位置決めされる。液晶表示ユニット１がフロントキャビネット３の適切な位置に位置決めされることで、使用者はフロントキャビネット３の開口３１を介して液晶表示ユニット１の映像表示部に表示される映像を鑑賞することができる。
【００４０】
液晶表示ユニット１の背面に配置された配線基板ＰＢには、ケーブルＣｂ１、Ｃｂ２が備えられており、ケーブルＣｂ１、Ｃｂ２の先端にはそれぞれコネクタＣｎ１、Ｃｎ２が取り付けられている。フロントキャビネット１の背面に液晶表示ユニット１が配置された後、フロントキャビネット３に配置されている基板３２に配置されたケーブル４１の先端のコネクタ４２と、ケーブルＣｂ１の先端のコネクタＣｎ１、スピーカ３３に配置されたケーブル４３の先端のコネクタ４４とケーブルＣｂ２の先端のコネクタＣｎ２とが接続される。
【００４１】
ケーブル４１、４３とケーブルＣｂ１、Ｃｂ２とは遊び（たるみ）ができるように接続されている。これにより、ケーブル４１、４３、Ｃｂ１、Ｃｂ２が引っ張られたとしても、ケーブルが張るように変形することで、コネクタ４２、４４、Ｃｎ１、Ｃｎ２や基板３２、スピーカ３３及び配線基板ＰＢに大きな力が作用するのを抑制することが可能である。
【００４２】
図２に示すように、フロントキャビネット３の背面側には、ケーブル４１は配線基板ＰＢのケーブルＣｂ１と接続するときにねじらなくても取り付けできるので、スピーカ３３のケーブル４３に比べて短くできる。一方、スピーカ３３は側壁３１に下側に向けて取り付けられており、ケーブル４３とケーブルＣｂ２とを接続する場合、ねじる必要がある。そこで、ケーブル４３及びケーブルＣｂ２はねじれても負担小さくなるように、十分な長さを有している。
【００４３】
再度図１を参照する。図１に示すように、液晶表示ユニット１が取り付けられたフロントキャビネット３の背面側にはリヤキャビネット２が取り付けられる。フロントキャビネット３の側壁３０とリヤキャビネット２の側壁２０とが前後に重なるように、そして、液晶表示ユニット１の背面側に取り付けられた配線基板ＰＢに実装された外部接続端子が端子孔２１から露出できるようにリヤキャビネット２は取り付けられる。なお、フロントキャビネット３とリヤキャビネット２との固定は、容易に着脱でき、しかも、強固に固定できる方法が用いられる。ここでは、ねじによる固定が行われている。
【００４４】
リヤキャビネット２をフロントキャビネット３の適切な位置に配置した後、ねじ止めにてフロントキャビネット３に押さえつけて固定する。このとき、リヤキャビネット２には液晶表示ユニット１を押えるリブを備えている。このリブにはケーブル４１、４３及び（又は）ケーブルＣｂ１、Ｃｂ２を避けるための隙間が形成されている。
【００４５】
ケーブル４１とケーブルＣｂ１とはねじられることなく接続されているので、中心がずれにくく、リブのケーブルを避けるための隙間から外れることは少ない。一方、ケーブル４３とケーブルＣｂ２とはねじれて取り付けられているので、ねじれによってケーブルの中心が曲がり、ケーブルを避けるための隙間からずれてしまうことがある。リヤキャビネット２の取り付け方によっては、ケーブルがフロントキャビネット３の側壁３０とリヤキャビネット２の側壁２０とに挟まれてしまったり、リヤキャビネット２のリブと液晶表示ユニット１との間に挟まれてしまったりする可能性がある。
【００４６】
そこで、リヤキャビネット２の取り付け時にリヤキャビネット２の一部にケーブル４３及び（又は）ケーブルＣｂ２が挟まれる不具合が発生するのを抑制するために、ケーブル４３をケーブル保持部５で保持させている。ケーブル４３がケーブル保持部５に保持されていることで、ケーブル４３及びケーブルＣｂ２を所定の範囲内に収めることができ、ケーブルがリブに挟まれる不具合を抑制することができる。また、ケーブル保持部５に保持されているケーブル４３は引っ張られるとケーブル保持部５より容易に外れることができるので、ケーブル４３及び（又は）ケーブルＣｂ２が引っ張られたときの応力を低減することが可能である。
【００４７】
液晶テレビジョン受像機が複数の製造工程を経て製造されており、複数の半組立て状態のものが最終組立て地（工場）に搬送され、搬送されてきた半組立て状態のものを組み合わせて組み立てて完成させる。例えば、初期工程の組立て地は、各部品の入手性や組立てコストで決められており、最終組立て地は出荷される市場の近くとされることが多い。
【００４８】
本発明にかかる液晶テレビジョン受像機Ａの場合、液晶表示ユニット１、リヤキャビネット２、フロントキャビネット３、スタンドが初期工程の組立て地より別々に搬送される。フロントキャビネット３では、初期工程の組立て地において、基板３２とスピーカ３３とが組みつけられた状態で搬送される。
【００４９】
フロントキャビネット３に基板３２とスピーカ３３を取り付けることで、基板３２に備えられているケーブル４１及びコネクタ４２、スピーカ３３に備えられているケーブル４３及びコネクタ４４もフロントキャビネット３と一体的に取り付けられる。フロントキャビネット３だけを搬送する場合、ケーブル４１、４３及びコネクタ４２、４４はフリーな状態となり、ケーブル４１、４３及びコネクタ４２、４４が移動し（暴れ）やすい。
【００５０】
ケーブル４１、４３及びコネクタ４２、４４が移動する（暴れる）ことで、フロントキャビネット３の正面側と接触し、傷つけてしまうことがある。また、フロントキャビネット３を固定するための冶具等にケーブルが引っかかり、被覆がはがれたり、断線したりする不具合が発生する場合もある。そこで、フロントキャビネット３に設けられているケーブル保持部５でケーブル４１、４３を保持し、ケーブル４１、４３及びコネクタ４２、４４の暴れを抑制することができる。
【００５１】
フロントキャビネット３に備えられたケーブル保持部５の詳細について図面を参照して説明する。図３は本発明にかかるケーブル保持構造の一例を示す拡大斜視図であり、図４は図３に示すケーブル保持構造の平面図である。
【００５２】
図３、図４に示すように、ケーブル保持部５は、四隅に配置されたＬ字状断面を有する４個の角リブ５１と、平板状の形状を有し、対向して配置された一対の中間リブ５２とを備えている。角リブ５１は、長方形の四隅となる位置に配置されており、長方形の短辺となる部分では、角リブ５１同士が隣り合うように配置されている。また、長辺となる部分には、角リブ５１同士の間に中間リブ５２が配置されている。さらに、中間リブ５２には、他方の中間リブ５２と対向する面と反対側の面と一体に形成され、フロントキャビネット３と一体形成された補強リブ５３が形成されている。なお、角リブ５１はすべて同じ形状を有しており、一対の中間リブ５２も同じ長さを有しているが、これに限定されるものではない。
【００５３】
そして、角リブ５１同士及び角リブ５１と中間リブ５２との間は、隙間（スリット５０）が形成されている。ケーブル保持部５には４個の角リブ５１と一対の中間リブ５２で囲まれた直方体形状の保持部５４が形成されている。なお、ケーブル保持部５のスリット５０の幅はすべて同じ幅であり、その幅はケーブルを配置したときに、ケーブルを外から覆っている樹脂製の被覆を挟持し、摩擦により保持することができる程度の幅である。
【００５４】
なお、以下の説明において、上側の角リブ、中間リブ、上側のスリットにはｕ、下側の角リブ、中間リブ、スリットにはｄ、中央のスリットにはｃの添え字をつける。さらに、左側にはＬ、右側にはＲの添え字をつける。そして、例えば、左上の角リブは５１ｕＬ、左の中央のスリットは５０ｃＬである。以下、同様のルールで符号に添え字をつける（図３、図４参照）。
【００５５】
以下に、ケーブル保持構造によるケーブルの保持方法の例について図面を参照して説明する。図５は本発明にかかるケーブル保持構造の一例であるケーブル保持部がケーブルを保持した状態を示している。図５（Ａ）〜（Ｆ）は図３に示すケーブル保持部が異なる方法でケーブル保持している状態を示した図である。
【００５６】
図５（Ａ）に示すケーブル保持部５は、１本（１束）のケーブルＣｄを保持している。なお、ケーブルＣｄは基板３２に取り付けられたケーブル４１、スピーカ３３に取り付けられたケーブル４３及び配線基板ＰＢに取り付けられたケーブルＣｂ１、Ｃｂ２のいずれかであってもよく、それ以外の不図示のケーブルであってもよい。
【００５７】
ケーブルＣｄはケーブル保持部５の左上の角リブ５１ｕＬと上側中間リブ５２ｕとの間のスリット５０ｕＬを下方に向かって通過し、左下の角リブ５１ｄＬと下側中間リブ５２ｄの間のスリット５０ｄＬを下方に向かって通過する。そして、下側中間リブ５２ｄの下側で折り返し、右下角リブ５１ｄＲと下側中間リブ５２ｄとの間のスリット５０ｄＲを上方に向かって通過し、右上の角リブ５１ｕＲと上側の中間リブ５２ｕとの間のスリット５０ｕＲを上方に向かって通過する。
【００５８】
以上のようにしてケーブルＣｄはケーブル保持部５に保持される。ケーブルＣｄの折り返しでの長さを調整し、コネクタＣｍがケーブル保持部５の右上の角リブ５１ｕＲと上側中間リブ５２ｕと近接して配置されている。このように、コネクタＣｍをケーブル保持部５と近接配置されることで、フロントキャビネット３を搬送するときに、振動、衝撃が入力されたとしても、コネクタＣｍが暴れるのを抑制することができ、コネクタＣｍ自体の破損や、コネクタＣｍが接触することで発生する傷、破損等の不具合を抑制することができる。なお、図５（Ａ）に示した例では、ケーブルＣｄの折り返しが下側中間リブ５２ｄの下側に配置されるものが示されているが、それに限定されるものではない。ケーブルＣｄを上下反転させ、上側の中間リブ５２ｕの上方で折り返すように配置していてもよい。
【００５９】
図５（Ｂ）を参照して、異なるケーブルの保持方法を説明する。図５（Ｂ）に示すように、ケーブル保持部５は、１本（１束）のケーブルＣｄを保持している。ケーブルＣｄは、左上の角リブ５１ｕＬと左下の角リブ５１ｄＬとの間のスリット５０ｃＬと、右上の角リブ５１ｕＲと右下の角リブ５１ｄＲとの間のスリット５０ｃＲとを左から右に通過するように配置されている。そして、ケーブル保持部５の右側で上側に折り返し、コネクタＣｍがケーブル保持部５に近接して配置されている。ケーブルＣｄが一直線上に配置されるので、ケーブルＣｄをケーブル保持部５に取り付けやすく、手間を減らすことができる。
【００６０】
また、ケーブルＣｄの折り返しから先端側の部分を、右上角リブ５１ｕＲと上側中間リブ５２ｕとの間のスリット５０ｕＲ、左上角リブ５１ｕＬと上側中間リブ５２ｕとの間のスリット５０ｕＬに取り付け、角リブ５１ｕＲ、５１ｕＬ、中間リブ５２ｕを縫うように通過させてもよい。ケーブル保持部５を用いることで、ケーブルＣｄ先端側の余っている部分をさらに保持することができ、これによって、ケーブルＣｄ及び（又は）コネクタＣｍが暴れるのを効果的に抑えることができる。なお、ケーブルＣｄの配置は左から右でもよく、折り返しが下向きに折り返すものであってもよい。
【００６１】
一直線上に配置されたスリット５０ｃＬ、５０ｃＲにケーブルＣｄを通過させるので、ケーブルＣｄのケーブル保持部５への取り付けの手間と時間を削減することが可能である。
【００６２】
図５（Ｃ）を参照して、さらに異なるケーブルの保持方法を説明する。図５（Ｃ）に示すように、ケーブル保持部５は、１束のケーブルＣｄを保持している。ケーブルＣｄは途中で折り返すように折りたたまれており、折り返しがケーブル保持部５の４個の角リブ５１及び一対の中間リブ５２で囲まれた保持部５４に押し込められて保持されている。そして、ケーブルＣｄの先端に取り付けられたコネクタＣｍは、ケーブル保持部５の外側に配置される。角リブ５１及び中間リブ５２は弾性変形可能な部材であり、ケーブルＣｄを押し込むことで、各リブが押され弾性的にケーブルＣｄを締め付ける。これにより、ケーブルＣｄがケーブル保持部５から抜けないようにしっかり保持される。
【００６３】
このように、スリット５０にケーブルＣｄを引っ掛けずに、ケーブル保持部５でケーブルＣｄを保持することで、ケーブルＣｄをケーブル保持部５から外すときに、ケーブルＣｄが角リブ５１及び（又は）中間リブ５２に絡まって、取れにくくなるのを抑制することができる。このことによって、ケーブルＣｄを無理に引っ張ることによる、ケーブルＣｄ自体が断線したり、ケーブルＣｄの取付部に無理な力が作用し、破損してしまったり、ケーブル保持部５が破損してしまったり等の不具合の発生を抑制することができる。
【００６４】
ケーブル保持部５は、フロントキャビネット３及びフロントキャビネット３に取り付けられた部材だけを搬送するときと、完成品とでケーブルの保持方法をかえることが可能である。すなわち、フロントキャビネット３を搬送するときは、ケーブルＣｄを確実に保持できるとともに、容易に且つ安全に取り外せることが好ましい。そこで、図５（Ｃ）に示すように、ケーブルＣｄ折り曲げケーブル保持部５の保持部で保持する。そして、最終組立てのときは液晶テレビジョン受像機内部でケーブルが暴れないように、多少の力ではケーブルが外れないことが好ましい。そこで、図５（Ａ）、（Ｂ）に示すようにケーブルＣｄをスリット５０に配置して保持することで保持する。
【００６５】
このように、ケーブル保持部５を用いることで、一時的な保持及び長期的な保持のいずれの場合でも、適切な保持方法でケーブルＣｄを保持することが可能である。
【００６６】
図５（Ｄ）を参照して、さらに異なるケーブルの保持方法を説明する。図５（Ｄ）に示すように、ケーブル保持部５は、ケーブルＣｄの先端に取り付けられたコネクタＣｍを保持している。４個の角リブ５１と一対の中間リブ５２とで囲まれた保持部５４にコネクタＣｍが嵌合されて配置されている。コネクタＣｍは角リブ５１及び（又は）中間リブ５２によって抜けないように保持される。
【００６７】
このように、コネクタＣｍをケーブル保持部５で直接保持することで、コネクタＣｍの暴れを確実に抑えることができる。コネクタＣｍの暴れは、フロントキャビネット３の搬送中に発生する破損、傷をつける原因となることが多く、これを抑制することができるので、効率よく破損、傷等の不具合の発生を抑制することができる。なお、液晶テレビジョン受像機の組立て時には、ケーブルＣｂが暴れないようにスリット５０を通過させ、角リブ５１及び（又は）中間リブ５２に絡めて保持することが可能である。なお、図５（Ｄ）に示すように、コネクタＣｍを保持部５４に完全に嵌め込んで保持させてもよく、コネクタＣｍの長手方向がフロントキャビネット３と所定の角度（ここでは、直角）をなすように配置してもよい（図５（Ｅ）参照）。
【００６８】
また、図５（Ｆ）に示すように、コネクタＣｍがスリット５０Ｒに挟まれ、一部が保持部５４内部に配置されていてもよい。このように、コネクタＣｍの一部をスリット５０に係合させることで、コネクタＣｍをケーブル保持部５で安定して保持することができる。これにより、フロントキャビネット３の運搬時にコネクタＣｍが暴れにくく、コネクタＣｍ自体が破損したり、フロントキャビネット３及びフロントキャビネット３に取り付けられている部品と接触して傷つけたり破損したりする不具合の発生を抑えることができる。なお、コネクタＣｍを挟持するスリットとして、右上の角リブ５１ｕＲと右下の角リブ５１ｄＲの間のスリット５０Ｒを採用しているが、それに限定されるものではない。また、コネクタＣｍを挟持するために、ケーブル保持部５に備えられたスリット５０のうち少なくともひとつ（本実施形態では５０ｃＲ）の幅を他のものよりも大きくして、コネクタＣｍ保持用のスリットとしてもよい。なお、図５（Ｄ）−図５（Ｆ）のようにコネクタＣｍを保持することでケーブルＣｄの先端を保持することができる。結果として、ケーブルＣｄも保持している。
【００６９】
本発明にかかるケーブル保持構造の他の例について図面を参照して説明する。図６は本発明にかかるケーブル保持構造の他の例を示す図である。図６に示すケーブル保持部６は、液晶テレビジョン受像機のフロントキャビネットの背面側に取り付けられているものであり、スリットの幅が、図４等に示すケーブル保持部５とは異なる。それ以外は、実質上同じ構造を有するものであり、実質上同じ部分の詳細な説明は省略する。
【００７０】
図６に示すケーブル保持部６は、４隅に配置された角リブ（左上角リブ６１ｕＬ、右上角リブ６１ｕＲ、左下角リブ６１ｄＬ、右下角リブ６１ｄＲ）と、上下に対向して配置され上側の角リブ６１ｕ（左上角リブ６１ｕＬ、右上角リブ６１ｕＲ）及び下側の角リブ６１ｄ（左下角リブ６１ｄＬ、右下角リブ６１ｄＲ）の間に配置された中間リブ６２（上側中間リブ６２ｕ、下側中間リブ６２ｄ）とを備えている。
【００７１】
上側の両角リブ６１ｕＬ、６１ｕＲ及び上側中間リブ６２ｕとの間には、スリット６０ｕＬ、６０ｕＲが形成されている。同様に、下側の両角リブ６１ｄＬ、６１ｄＲ及び下側中間リブ６２ｄとの間には、スリット６０ｄＬ、６０ｄＲが形成されている。そして、左上角リブ６１ｕＬと左下角リブ６１ｄＬ及び右上角リブ６１ｕＲと右下角リブ６１ｄＲとの間には、スリット６０ｃＬ、６０ｃＲが形成されている。
【００７２】
以下に、各スリットについて詳しく説明する。ケーブル保持部６は、フロントキャビネット３の搬送時、上側に基板３２に備えられたケーブル４１を、また、下側にスピーカ３３に取り付けられたケーブル４３を同時に保持する。また、液晶テレビジョン受像機Ａの完成組立てのときには、これらのケーブルを外して或いは保持したまま、別の機器に接続されるケーブル４５を保持する。
【００７３】
このとき、ケーブル４１はスリット６０ｕＬ、６０ｕＲに嵌合され、ケーブル４３はスリット６０ｄＬ、６０ｄＲに嵌合され、ケーブル４５はスリット６０ｃＬ、６０ｃＲに嵌合されている。ケーブル４１、ケーブル４３及びケーブル４５はそれぞれ異なる目的（異なる信号或いは異なる電流）で用いられるものであるため、ケーブル内に配置される電線の太さ、数もおのずと変わってくる。
【００７４】
ケーブル４１はフロントキャビネット３に取り付けられて基板３２にそなえられている。基板３２に配置されたスイッチの操作を伝える信号及びリモートコントローラからの入力を受け付けたことを伝える信号等の信号のやり取り、或いは、消費電力の小さなスイッチ、センサ及びＬＥＤに駆動の電流を流すための電線である。よってケーブル４１は径の小さな電線を多数集めて平板状に配置したフラットケーブルが用いられている。
【００７５】
一方、ケーブル４３はスピーカ３３の駆動用の電力（電流）を供給するための電線を内蔵している。スピーカ３３を駆動するためには、所定の電力（電流）が必要であり、駆動用の電力をストレスなく流すためにケーブル４１と比べて太い電線が内蔵されている。また、電線の数はケーブル４１に比べて少ない。
【００７６】
ケーブル４５は、配線基板ＰＢとその他の部品との間の信号をやり取りするためのものである。ケーブル４５は多数の信号を扱うものであるが、スイッチやセンサ等の電子部品を駆動するための電力を供給する電線を有しない。したがって、ケーブル４５はケーブル４１に比べて細い電線を備えたフラットケーブルである。
【００７７】
各スリットは各ケーブルを容易に外れないように保持するものであり、スリット６０ｄＬ、６０ｄＲ、スリット６０ｕＬ、６０ｕＲ及びスリット６０ｃＬ、６０ｃＲの幅Ｌ１、幅Ｌ２及び幅Ｌ３の関係は次のとおりである。太いケーブルであるケーブル４３が嵌合されるスリット６０ｄＬ、６０ｄＲの幅Ｌ１は大きく形成されている。細いケーブル４５が嵌合されるスリット６０ｃＬ、６０ｃＲの幅Ｌ３は小さく形成されている。そして、ケーブル４３より細く、ケーブル４５より太いケーブル４１が係合されるスリット６０ｕＬ、６０ｕＲの幅Ｌ２は、幅Ｌ１と幅Ｌ３との間となるように形成されている。なお、スリット６０ｕＬ、６０ｕＲの幅Ｌ２がスリット６０ｄＬ、６０ｄＲの幅Ｌ１よりも短く形成されており、その幅が少ない分、上側中間リブ６２ｕの長さが、下側中間リブ６２ｄよりも長い。
【００７８】
このように、スリット６０の幅をその位置及び取り付けられるケーブルの大きさに合わせて複数の種類備えておくことで、太さの異なるケーブルを１つのケーブル保持部６で保持することが可能である。ケーブル保持部６でケーブル保持する場合、同時に保持されるケーブルは１本であっても、複数本であってもよい。また、同じ幅のスリット６０の配置についてはケーブル保持部６では、上側２個、下側２個、中央２個となっているが、それには限定されるものではなく、ケーブルの配置方法に合わせて異なるものであってもよい。また、ケーブルの種類も３種類に限定されるものではなく、２種類或いは３種類よりも多い場合、ケーブルの種類に合わせて幅の大きさの種類が変更されるようにしてもよい。
【００７９】
本発明にかかるケーブル保持構造の他の例について図面を参照して説明する。図７は本発明にかかるケーブル保持構造の他の例を示す図である。図７に示すケーブル保持部７は複数形成されたスリット７０のうち図中上下或いは左右に対向して形成されたスリットの中心がずれるように形成されている。
【００８０】
すなわち、上側中間リブ７２ｕの左側に形成された左上スリット７０ｕＬの中心と、下側中間リブ７２ｄの左側に形成された左下スリット７０ｄＬの中止とが、図中左右方向にずれている。また、上側中間リブ７２ｕの右側に形成された右上スリット７０ｕＲの中心と、下側中間リブ７２ｄの右側に形成された右下スリット７０ｄＲの中心とが、図中左右方向にずれている。また、左上角リブ７１ｕＬと左下角リブ７１ｄＬとの間に形成されたスリット７０ｃＬの中心と、右上角リブ７１ｕＲと右下角リブ７１ｄＲとの間に形成されたスリット７０ｃＲの中心とが上下方向にずれている。
【００８１】
ケーブル保持部７もケーブル保持部６と同様に異なる種類のケーブル４１、４３及び４５を保持することができるものである。フロントキャビネット３の搬送時、上側に基板３２に備えられたケーブル４１を、また、下側にスピーカ３３に取り付けられたケーブル４３を同時に保持する。また、液晶テレビジョン受像機Ａの完成組立てのときには、これらのケーブルを外して或いは保持したまま、別の機器に接続されるケーブル４５を保持する。なお、図７に示すケーブル保持部７では、各ケーブルを同じ太さで示しているが、実際は、図６に示すように、異なる太さのものであってもよい。
【００８２】
ケーブル４１は左上スリット７０ｕＬと左下スリット７０ｄＬとを通過するように、ケーブル４２は右下スリット７０ｄＲと右上スリット７０ｕＲとを通過するように取り付けられている。このように、左右にずれて配置されたスリットにケーブルを取り付けることで、ケーブルが軸方向に引っ張られたとき、ケーブルが角リブ及び（又は）中間リブに引っかかる。これにより、ケーブルが抜けるのを抑制することが可能である。また、ケーブルに作用する引張力はケーブル保持部７に作用し、引張力がケーブルを備えている部材（基板、スピーカ）に作用するのを抑制することが可能である。
【００８３】
また、ケーブル４５も同様に、スリット７０ｃＬとスリット７０ｃＲとを通過するように取り付けられていることで、ケーブルが角リブに引っかかる。これにより、ケーブルが抜けるのを抑制することが可能である。また、ケーブルに作用する引張力はケーブル保持部７に作用し、引張力がケーブルを備えている部材に作用するのを抑制することが可能である。なお、ケーブル４５は、ケーブル４１及びケーブル４３を取り外してからケーブル保持部７に取り付けられるようにしてもよく、ケーブル４１及び（又は）ケーブル４３と交差するように取り付けられていてもよい。
【００８４】
なお、図７に示すケーブル保持部７では、左右かかわらず、上側のスリットが下側のスリットに対して左にずれているものを挙げているが、これに限定されるものではなく、逆にずれていてもよい。また、左上スリットが左下スリットの右側に、右上スリットが右下スリットの左側にずれるように形成されていてもよい。向かい合ったもの同士が、引張力をケーブル保持部７で受けることができる程度にずれて形成されているスリットを広く採用することが可能である。また、ケーブル保持部７の対向するすべてのスリットがずれていなくてもよい。また、ケーブルの軸方向に力が作用する可能性が高いケーブルが嵌められるスリットのみずれるように形成されていても良い。
【００８５】
本発明にかかるケーブル保持構造のさらに他の例について図面を参照して説明する。図８は本発明にかかるケーブル保持構造の例の概略を示す図である。図８（Ａ）〜図８（Ｃ）はケーブル保持構造の例の一部を示す概略図である。図８（Ａ）に示すように、ケーブル保持部８Ａは、２対の中間リブを備えており、すなわち、ケーブル保持部８Ａは、４個の角リブ８１ａと、２対の中間リブ８２ａとを、中央の空間が正方形を形成するように配置されている。このように配置されていることで、ケーブルの位置にかかわらず、ケーブルをスリットに適切に嵌合させることができるので、汎用性が高い。
【００８６】
また、図８（Ｂ）を参照して、ケーブル保持部の他の例について説明する。ケーブル保持部８Ｂは、同じ形状の湾曲リブ８１ｂを６個備えており、その湾曲リブ８１ｂを内部の空間が円形状をなすように配置している。このように円形状に形成されたケーブル保持部８Ｂを備えていることで、ケーブルの位置にかかわらず、ケーブルをスリットに適切に嵌合させることができるので、汎用性が高い。
【００８７】
また、図８（Ｃ）を参照して、ケーブル保持部の他の例について説明する。図８（Ｃ）に示すケーブル保持部８Ｃは、３個の角リブ８１ｃと、３個の中間リブ８２ｃとを備えており、角リブ８１ｃと中間リブ８２ｃとを交互に、中央の空間が三角形状をなすように配置されている。このように、三角形状に形成されたケーブル保持部８Ｃを備えていることで、ケーブルの位置にかかわらず、ケーブルをスリットに適切に嵌合させることができるので、汎用性が高い。
【００８８】
なお、上述したように、ケーブル保持部のリブによって、長方形状、正方形状、円形状及び三角形状に形成されているものを挙げて説明したが、これらに限定されるものではなく、中央部にリブで囲まれた空間が形成されるものを広く採用することが可能である。リブの形状が複雑になりすぎると、フロントキャビネットの表面にひけが発生しやすくなるので、密集しすぎず、十分な強度を有するような形状に形成されていることが好ましい。
【産業上の利用可能性】
【００８９】
本発明は、ＬＣＤを用いた液晶テレビジョン受像機等、電子機器の完成品内部に配置された配線を保持するとともに、半組立て状態で搬送するときの組みつけられた物品に備えられた敗戦を保持するケーブル保持構造に利用することができる。
【符号の説明】
【００９０】
Ａ  液晶テレビジョン受像機
ＰＢ  配線基板
１  液晶表示ユニット
１０  フレーム
２  リヤキャビネット
２０  側壁
２１  端子孔
３  フロントキャビネット
３０  側壁
３１  開口
３２  基板
３３  スピーカ
４１  ケーブル
４２  コネクタ
４３  ケーブル
４４  コネクタ
５  ケーブル保持部
５１  角リブ
５２  中間リブ
５３  補強リブ
【図１】
2011029330.tif 000003
【図２】
2011029330.tif 000004
【図３】
2011029330.tif 000005
【図４】
2011029330.tif 000006
【図５】
2011029330.tif 000007
【図６】
2011029330.tif 000008
【図７】
2011029330.tif 000009
【図８】
2011029330.tif 000010